【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
放射線画像を取得する放射線画像撮影装置に対し、連続的に複数の放射線画像の撮影を行う動画撮影制御を行う制御装置であって、
前記放射線画像撮影装置が外部に対して行う通信の通信速度を求め、
前記放射線画像撮影装置の動画撮影制御に対応する機能の有無を判定し、
前記判定により前記動画撮影制御に対応する機能を有すると判定され、前記通信速度が既定値以上である前記放射線画像撮影装置を前記動画撮影制御の対象とすることを特徴とする制御装置。
【請求項２】
前記動画撮影制御に対応する機能を有すると判定された場合に、前記放射線画像撮影装置が外部に対して行う通信の通信速度を求めることを特徴とする請求項１に記載の制御装置。
【請求項３】
複数の前記放射線画像撮影装置の前記通信速度を求め、
前記通信速度が既定値以上である前記放射線画像撮影装置を前記動画撮影制御の対象として選択することを特徴とする請求項１又は２に記載の制御装置。
【請求項４】
前記放射線画像撮影装置のバッテリー残量を求め、当該バッテリー残量が既定値以上であることも条件として前記放射線画像撮影装置を前記動画撮影制御の対象とすることを特徴とする請求項１から３のいずれか一項に記載の制御装置。
【請求項５】
前記放射線画像撮影装置の画像データを保存するメモリの空き容量を求め、当該空き容量が既定値以上であることも条件として前記放射線画像撮影装置を前記動画撮影制御の対象とすることを特徴とする請求項１から４のいずれか一項に記載の制御装置。
【請求項６】
前記放射線画像撮影装置に対して前記動画撮影制御に対応する機能の有無を確認する指令を送信し、前記放射線画像撮影装置からの返信に基づいて前記動画撮影制御に対応する機能の有無を判定することを特徴とする請求項１に記載の制御装置。
【請求項７】
前記放射線画像撮影装置から前記動画撮影制御に対応する機能が無いことを示す返信を受信した場合、または前記放射線画像撮影装置からの返信が受信されない場合、前記放射
線画像撮影装置は前記動画撮影制御に対応する機能を有していないと判定することを特徴とする請求項６に記載の制御装置。
【請求項８】
前記放射線画像撮影装置が前記動画撮影制御に対応する機能を備えていないと判定した場合、当該放射線画像撮影装置の識別情報と関連付けて静止画撮影しか対応していないことを示す情報を表示することを特徴とする請求項１に記載の制御装置。
【請求項９】
前記通信速度に応じて、フレームレートを決定することを特徴とする請求項１から８のいずれか一項に記載の制御装置。
【請求項１０】
前記取得した通信速度に基づいて、設定されたフレームレートでの動画撮影が可能か否かを判定すると共に、前記通信速度に基づいて、設定可能なフレームレートの値を算出し、
設定されたフレームレートでの動画撮影が可能か否かの前記判定の結果と、算出した前記設定可能なフレームレートの値を表示部に表示することを特徴とする請求項１から９のいずれか一項に記載の制御装置。
【手続補正２】
【補正対象書類名】明細書
【補正対象項目名】発明の名称
【補正方法】変更
【補正の内容】
【発明の名称】制御装置
【手続補正３】
【補正対象書類名】明細書
【補正対象項目名】０００１
【補正方法】変更
【補正の内容】
【０００１】
本発明は、制御装置に関する。
【手続補正４】
【補正対象書類名】明細書
【補正対象項目名】０００８
【補正方法】変更
【補正の内容】
【０００８】
本発明は、上記の問題点を鑑みてなされたものであり、種々の状況、撮影目的に適った、動画撮影の実行の判断、さらには、フレームレートや撮影枚数による撮影の可否の判定を行うことが可能な制御装置を提供することを目的とする。
【手続補正５】
【補正対象書類名】明細書
【補正対象項目名】０００９
【補正方法】変更
【補正の内容】
【０００９】
請求項１記載の発明は、制御装置において、
放射線画像を取得する放射線画像撮影装置に対し、連続的に複数の放射線画像の撮影を行う動画撮影制御を行う制御装置であって、
前記放射線画像撮影装置が外部に対して行う通信の通信速度を求め、
前記放射線画像撮影装置の動画撮影制御に対応する機能の有無を判定し、
前記判定により前記動画撮影制御に対応する機能を有すると判定され、前記通信速度が
既定値以上である前記放射線画像撮影装置を前記動画撮影制御の対象とすることを特徴とする。
【手続補正６】
【補正対象書類名】明細書
【補正対象項目名】００１０
【補正方法】変更
【補正の内容】
【００１０】
請求項２記載の発明は、請求項１記載の制御装置において、
前記動画撮影制御に対応する機能を有すると判定された場合に、前記放射線画像撮影装置が外部に対して行う通信の通信速度を求めることを特徴とする。
【手続補正７】
【補正対象書類名】明細書
【補正対象項目名】００１１
【補正方法】変更
【補正の内容】
【００１１】
請求項３記載の発明は、請求項１又は２記載の制御装置において、
複数の前記放射線画像撮影装置の前記通信速度を求め、
前記通信速度が既定値以上である前記放射線画像撮影装置を前記動画撮影制御の対象として選択することを特徴とする。
【手続補正８】
【補正対象書類名】明細書
【補正対象項目名】００１２
【補正方法】変更
【補正の内容】
【００１２】
請求項４記載の発明は、請求項１から３のいずれか一項に記載の制御装置において、
前記放射線画像撮影装置のバッテリー残量を求め、当該バッテリー残量が既定値以上であることも条件として前記放射線画像撮影装置を前記動画撮影制御の対象とすることを特徴とする。
【手続補正９】
【補正対象書類名】明細書
【補正対象項目名】００１３
【補正方法】変更
【補正の内容】
【００１３】
請求項５記載の発明は、請求項１から４のいずれか一項に記載の制御装置において、
前記放射線画像撮影装置の画像データを保存するメモリの空き容量を求め、当該空き容量が既定値以上であることも条件として前記放射線画像撮影装置を前記動画撮影制御の対象とすることを特徴とする。
【手続補正１０】
【補正対象書類名】明細書
【補正対象項目名】００１４
【補正方法】変更
【補正の内容】
【００１４】
請求項６記載の発明は、請求項１に記載の制御装置において、
前記放射線画像撮影装置に対して前記動画撮影制御に対応する機能の有無を確認する指令を送信し、前記放射線画像撮影装置からの返信に基づいて前記動画撮影制御に対応する
機能の有無を判定することを特徴とする。
【手続補正１１】
【補正対象書類名】明細書
【補正対象項目名】００１５
【補正方法】変更
【補正の内容】
【００１５】
請求項７記載の発明は、請求項６に記載の制御装置において、
前記放射線画像撮影装置から前記動画撮影制御に対応する機能が無いことを示す返信を受信した場合、または前記放射線画像撮影装置からの返信が受信されない場合、前記放射線画像撮影装置は前記動画撮影制御に対応する機能を有していないと判定することを特徴とする。
請求項８記載の発明は、請求項１に記載の制御装置において、
前記放射線画像撮影装置が前記動画撮影制御に対応する機能を備えていないと判定した場合、当該放射線画像撮影装置の識別情報と関連付けて静止画撮影しか対応していないことを示す情報を表示することを特徴とする。
請求項９記載の発明は、請求項１から８のいずれか一項に記載の制御装置において、
前記通信速度に応じて、フレームレートを決定することを特徴とする。
請求項１０記載の発明は、請求項１から９のいずれか一項に記載の制御装置において、
前記取得した通信速度に基づいて、設定されたフレームレートでの動画撮影が可能か否かを判定すると共に、前記通信速度に基づいて、設定可能なフレームレートの値を算出し、
設定されたフレームレートでの動画撮影が可能か否かの前記判定の結果と、算出した前記設定可能なフレームレートの値を表示部に表示することを特徴とする。
【手続補正１２】
【補正対象書類名】明細書
【補正対象項目名】００１６
【補正方法】変更
【補正の内容】
【００１６】
本発明のような方式の制御装置によれば、種々の状況、撮影目的に適った、動画撮影の実行の判断、さらには、フレームレートや撮影枚数による撮影の可否の判定を行うことが可能となる。